【手続補正書】
【提出日】平成15年8月21日(2003.8.21)
【手続補正１】
【補正対象書類名】明細書
【補正対象項目名】請求項２
【補正方法】変更
【補正の内容】
【請求項２】
前記上操作部の入力状態を検知する入力状態検知手段を有し且つ前記上操作部及び前記主操作部からの操作命令を実行する制御手段を更に有し、
前記制御手段は、前記入力状態検知手段の検知結果に基づき前記上操作部からの操作命令の一部又は全部の実行を制限することを特徴とする請求項１に記載の加熱調理器。
【手続補正２】
【補正対象書類名】明細書
【補正対象項目名】請求項７
【補正方法】変更
【補正の内容】
【請求項７】
被加熱物の温度を検知する温度検知手段を更に有し、
前記制御手段は、前記温度検知手段が検知した被加熱物の温度に基づいて前記被加熱物の温度を設定された目標温度に調節する温度調節手段を更に有し、
前記制御手段は、主操作部に入力された操作命令に応じて前記温度調節手段による被加熱物の温度調節を行う温度調節モードを設定した場合に、前記上操作部からの入力による操作命令の実行を制限することを特徴とする請求項２から請求項６のいずれかの請求項に記載の加熱調理器。
【手続補正３】
【補正対象書類名】明細書
【補正対象項目名】請求項８
【補正方法】変更
【補正の内容】
【請求項８】
前記制御手段は、主操作部に入力された操作命令に応じて前記加熱手段又は前記被加熱物に加える電力の上限値を増加させる最大出力増加モードを設定した場合に、前記上操作部からの入力による操作命令の実行を制限することを特徴とする請求項２から請求項７のいずれかの請求項に記載の加熱調理器。
【手続補正４】
【補正対象書類名】明細書
【補正対象項目名】０００４
【補正方法】変更
【補正の内容】
【０００４】
特開平１０−２１４６７７号公報には、トッププレートに操作部を設けた従来例の加熱調理器が開示されている。図１３を用いて特開平１０−２１４６７７号公報に記載された従来例の加熱調理器を説明する（図１３の符号は、公報記載の符号から変更している。）。
図１３は、従来例の加熱調理器のトッププレートの平面図である。図１３の加熱調理器は、第１〜第３の加熱調理部を有する。
第１の加熱調理部１３０４は誘導加熱調理部であり、トッププレート１３１３のリング表示の下に、誘導加熱コイル（図示しない。）が配置されている。１３０１は第１の加熱調理部の操作手段であり、表示手段１３０２は複数の発光素子で構成されており、第１の加熱調理部１３０４の加熱状態を表示する（オフから最大電力まで、消費電力に応じた数の発光素子が点灯する。）。


【手続補正５】
【補正対象書類名】明細書
【補正対象項目名】０００８
【補正方法】変更
【補正の内容】
【０００８】
【発明が解決しようとする課題】
加熱調理器の上に操作部を配置すると、使用者は容易にその操作をすることが出来る。しかし、一般にトッププレート上に全ての操作入力スイッチを配置することは困難である。上操作部に配置できない操作入力スイッチを、トッププレート以外の場所に配置した場合、使用者が、トッププレート及びその他の場所の２箇所に配置した操作部を、両方に目を走らせながら操作することは極めて煩雑である。
本発明は、例えば一定の範囲の操作については、トッププレート上に設けられた上操作部及びトッププレート上以外の場所に配置した主操作部のいずれかひとつだけで操作できる、使い易い加熱調理器を提供することを目的とする。


【手続補正６】
【補正対象書類名】明細書
【補正対象項目名】０００９
【補正方法】変更
【補正の内容】
【０００９】
加熱調理器の上に操作部を配置すると、使用者は容易にその操作をすることが出来る。
しかしながらトッププレート上の上操作部の操作キーの上に、誤って調理器具などが置かれたままの状態になり、加熱調理器が操作キーを押されたと誤認する恐れがある。
掃除の容易性等の理由により、上操作部の操作キーには凹凸及び隙間を生じない接触センサ（例えば浮遊容量の変化に基づいてスイッチが押されたことを検知するセンサ）が好ましい。しかし、トッププレート上に例えば水がこぼれると接触センサが「スイッチが押された」状態になり、加熱調理器が意図しない加熱を開始する恐れもある。特に、使用者が不在である時に、加熱調理器が上記のような使用者が意図しない機能を開始することは好ましくない。


【手続補正７】
【補正対象書類名】明細書
【補正対象項目名】００１０
【補正方法】変更
【補正の内容】
【００１０】
突起部１３０３、１３０７及び１３１１を有する特開平１０−２１４６７７号公報に記載された構成では、トッププレートが１枚の平板な板であり、掃除が容易であるという電力を用いた加熱調理器の特徴が失われる。突起部とトッププレートとの間の角部に油等が付着し易く、清掃が困難になる恐れがある。
又、突起部１３０３、１３０７及び１３１１は第１〜第３の加熱調理部から流れた水が操作部の上にたまることをある程度防止できるが、例えばやかんの口から直接操作部の上にこぼれた水が、操作スイッチを誤操作することまでは防止できない。
本発明は、加熱調理器は、加熱調理器の前で立って料理している使用者が操作入力をし易いこと、及び使用者の意図しない操作命令が誤って入力された場合にも安全であることを達成する加熱調理器を提供することを目的とする。


【手続補正８】
【補正対象書類名】明細書
【補正対象項目名】００３４
【補正方法】変更
【補正の内容】
【００３４】
請求項７の発明は、被加熱物の温度を検知する温度検知手段を更に有し、前記制御手段は、前記温度検知手段が検知した被加熱物の温度に基づいて前記被加熱物の温度を設定された目標温度に調節する温度調節手段を更に有し、前記制御手段は、主操作部に入力された操作命令に応じて前記温度調節手段による被加熱物の温度調節を行う温度調節モードを設定した場合に、前記上操作部からの入力による操作命令の実行を制限することを特徴とする請求項２から請求項６のいずれかの請求項に記載の加熱調理器である。


【手続補正９】
【補正対象書類名】明細書
【補正対象項目名】００３６
【補正方法】変更
【補正の内容】
【００３６】
請求項８の発明は、前記制御手段は、主操作部に入力された操作命令に応じて前記加熱手段又は前記被加熱物に加える電力の上限値を増加させる最大出力増加モードを設定した場合に、前記上操作部からの入力による操作命令の実行を制限することを特徴とする請求項２から請求項７のいずれかの請求項に記載の加熱調理器である。


【手続補正１０】
【補正対象書類名】明細書
【補正対象項目名】００５７
【補正方法】変更
【補正の内容】
【００５７】
誘導加熱調理部２０３、２０４は、本体内部（トッププレート２０２に描かれた円形の表示の下）に設けられた誘導加熱コイル（図示していない）によって加熱され、ラジエントヒータ加熱調理部２０５及びロースタ部２０８は同じく本体内部に配置されたラジエントヒータ（図示していない）によって加熱される。
トッププレート２０２上の前部にはタッチコントロールの上操作部２０６が設けられている。このように天板に操作部があることにより、料理人（使用者）は加熱部の電力調節などの操作をする際にも、姿勢を変えることなくトッププレート表面側から操作することができる。
外郭ケースの前面には主操作部２０９及び電源スイッチ２１０が設けられている。主操作部２０９は、本体から引き出し可能なカンガルーポケット２０７の上に設けられている。電源スイッチ２１０は、左右の誘導加熱部２０３、２０４、ラジエントヒータ加熱調理部２０５、ロースタ部２０８の電源線を遮断し、電源をＯＦＦする機能を有し、主操作部２０９は、電源スイッチ２１０がＯＮ、ＯＦＦいずれの状態であるかを検知する機能を有する。従って本加熱調理器の制御系の説明においては、電源スイッチ２１０も主操作部に含まれるものとする。尚電源スイッチ２１０がＯＦＦとなっても主操作部２０９には電源が供給され、主操作部２０９は制御動作を行うことが可能となっている。


【手続補正１１】
【補正対象書類名】明細書
【補正対象項目名】００９５
【補正方法】変更
【補正の内容】
【００９５】
図７に実施例２の加熱調理器の上操作部の操作が制限された場合の表示ＬＥＤの点灯方法について説明する。
ステップ７０１で、表示ＬＥＤが点灯しているか否かを判断する。点灯していると判断した場合はステップ７０２へ進み、点灯していないと判断した場合はステップ７０５へ進む。
ステップ７０２で、上操作部制限フラグがＯＮ状態であるか否かを判断する。ＯＮ状態であると判断した場合はステップ７０３へ進み、ＯＦＦ状態であると判断した場合はステップ７０４へ進む。
ステップ７０３（安全機能が働いた状態）で、表示ＬＥＤを一定時間（例えば０．５秒）間隔でフラッシュさせる。
ステップ７０４で、表示ＬＥＤを常時点灯させる。
ステップ７０５で、表示ＬＥＤを消灯する。